(57)【特許請求の範囲】
【請求項１】
上側に開口した開口部を有する略矩形の容器本体と、容器本体に被せられて容器本体の開口部を塞ぐ蓋とを備え、
容器本体は、開口部の外側に本体垂下部を有し、蓋は、閉蓋状態で本体垂下部の外側に重なる蓋垂下部を有し、
本体垂下部のコーナー部の近傍には、外側に向けて突出し、閉蓋状態を維持するための本体突起が形成され、蓋垂下部のコーナー部の近傍には、内側に向けて突出し、閉蓋状態を維持するための蓋突起が形成されており、
閉蓋状態で、蓋突起は、本体突起よりも下側に位置すると共に、本体突起と蓋突起は、互いに水平方向に位置をずらして配置させることにより、水平方向の全長ではなくその一部のみが互いに上下方向に重なる位置関係となる、包装用容器。
【請求項２】
閉蓋状態で、蓋突起が本体突起に対してコーナー部側に位置をずらして配置されている請求項１記載の包装用容器。
【請求項３】
本体垂下部の各辺部の両辺端部近傍には、それぞれ水平方向に間隔をあけて本体突起が複数並設されて本体突起列が形成されており、
蓋垂下部の各辺部の両辺端部近傍には、それぞれ水平方向に間隔をあけて蓋突起が複数並設されて蓋突起列が形成されており、
閉蓋状態で、蓋突起列が本体突起列に対してコーナー部側に位置をずらして配置され、蓋突起はその辺中央部側の端部において、蓋突起に対応した本体突起と重なると共に、蓋突起はそのコーナー部側の端部において、蓋突起に対応した本体突起に対してそのコーナー部側の隣に位置する本体突起と重なる請求項１記載の包装用容器。
【請求項４】
本体突起は、コーナー部側に向けて上縁が下降していると共に上下方向の寸法が小さくなる形状である請求項１記載の包装用容器。
【請求項５】
本体突起は、コーナー部側に向けて突出高さが低くなる形状である請求項１記載の包装用容器。
【発明の詳細な説明】
【技術分野】
【０００１】
本発明は、容器本体と蓋とを備えた包装用容器に関する。
【背景技術】
【０００２】
近年では、一人暮らしの人口が増えている。特に惣菜やお弁当などを一人分作ることは手間がかかる。そのため、コンビニエンスストアやスーパーマーケットでこれらを買い求めるという需要が増えている。これらの惣菜やお弁当は、各店舗のバックヤードなどで調理して、これを容器に包装し提供する、もしくは、専用工場で調理して容器に包装されたものを各店舗へ輸送して陳列されている。このような容器では、陳列中や輸送中などにおいて不用意に蓋が外れてしまうことがある。そのため、通常、容器本体と蓋をさらに粘着テープで固定して防止している。
【０００３】
しかしながら、各食材などを容器に包装した後、容器本体と蓋とをさらに粘着テープで固定することは、手間がかかる。また、最近ではこれらの作業を行う人材が不足していることや、原材料が高騰していることから、テープ不使用でも蓋が外れない容器が求められている。
【０００４】
例えば、下記特許文献１には、略矩形の包装用容器において、本体膨出部とその下側に連続する本体逆テーパー部が容器本体のスカート部の全周に亘って形成されているため、蓋体を容器本体に被せる際に、蓋体逆テーパー部が、その水平方向の全長に亘って本体膨出部を無理矢理に下側に乗り越えて本体逆テーパ部と嵌合することが必要となる。そのため、閉蓋作業時に蓋逆テーパー部が本体膨出部を乗り越える際の力が大きく、店舗で調理して包装作業をする際に閉蓋しづらい。また、専用工場で食品を調理して容器に包装する際には、自動蓋閉め機で閉蓋不良が発生するという不具合が生じることがある。さらには、買い求めた消費者が蓋を開ける際に蓋が固く閉まっていて開けづらいという問題がある。
【０００５】
また、下記特許文献２には、略矩形の包装用容器において、容器本体のスカート部には、内面側に向けて凹んだ被嵌合部を設け、蓋体のスカート部には、内面側に向けて突出した嵌合部を設けた容器が開示されている。容器本体の被嵌合部と蓋体の嵌合部は互いに対応した位置関係にあって同じ長さに設定されている。そして、閉蓋時に、容器本体の被嵌合部に蓋体の嵌合部が嵌合する。この容器においても、容器本体の被嵌合部の全体に蓋体の嵌合部の全体が嵌り込んでいるので、消費者が蓋を開ける際に蓋が固く閉まっていて開けづらいという問題がある。
【０００６】
また、下記特許文献３には、円形容器において、蓋を本体に対して周方向にねじることによって本体のネジ部と蓋のネジ部が係合する構成が記載されている。しかしながら、本体に対して蓋を周方向にスライドさせてネジ部同士を係合させる構成は、円形容器のみで採用可能となる構成であり、矩形容器においては物理的に採用不可能である。
【先行技術文献】
【特許文献】
【０００７】
【特許文献１】特許第６３７１０２３号公報
【特許文献２】特開２０１９−４３５６５号公報
【特許文献３】特表２００７−５３２４１７号公報
【発明の概要】
【発明が解決しようとする課題】
【０００８】
本発明は、不用意に蓋が外れることを防止できると共に、閉蓋作業が行いやすく、消費者が蓋を容易に開けることができる包装用容器を提供することを課題とする。
【課題を解決するための手段】
【０００９】
本発明に係る包装用容器は、上側に開口した開口部を有する略矩形の容器本体と、容器本体に被せられて容器本体の開口部を塞ぐ蓋とを備え、容器本体は、開口部の外側に本体垂下部を有し、蓋は、閉蓋時に本体垂下部の外側に重なる蓋垂下部を有し、本体垂下部のコーナー部の近傍には、外側に向けて突出し、閉蓋状態を維持するための本体突起が形成され、蓋垂下部のコーナー部の近傍には、内側に向けて突出し、閉蓋状態を維持するための蓋突起が形成されており、閉蓋状態で、蓋突起は、本体突起よりも下側に位置すると共に、本体突起と蓋突起は、互いに水平方向に位置をずらして配置させることにより、水平方向の全長ではなくその一部のみが互いに上下方向に重なる位置関係となる。
【００１０】
この構成によれば、蓋突起と本体突起が閉蓋状態で部分的に上下方向に重なり合う構成であるため、閉蓋作業時において蓋を容器本体に被せる際の力が小さくて済む。そして、閉蓋状態においては、蓋突起が本体突起の下側に位置して部分的に上下方向に重なり合うので、蓋が外れようとした際には蓋突起が本体突起に引っ掛かる。そのため、テープで蓋と容器本体とを固定しなくても、蓋が不用意に外れることが防止される。また、閉蓋状態において蓋突起と本体突起が水平方向の全長に亘って上下方向に重なるのではなく部分的に重なるだけであるので、蓋を開ける際には、容易に蓋を開けることができる。
【００１１】
特に、閉蓋状態で、蓋突起が本体突起に対してコーナー部側に位置をずらして配置されていることが好ましい。この構成によれば、閉蓋作業の際に、蓋を容器本体により一層スムーズに被せることができる。尚、閉蓋状態では、本体突起の水平方向の全長のうちコーナー部側の部分と、蓋突起の水平方向の全長のうち辺中央部側の部分とが互いに上下方向に重なった状態となる。尚、コーナー部側は辺端部側であり、辺中央部側は反コーナー部側である。
【００１２】
更に、本体垂下部の各辺部の両辺端部近傍には、それぞれ水平方向に間隔をあけて本体突起が複数並設されて本体突起列が形成されており、蓋垂下部の各辺部の両辺端部近傍には、それぞれ水平方向に間隔をあけて蓋突起が複数並設されて蓋突起列が形成されており、閉蓋状態で、蓋突起列が本体突起列に対してコーナー部側に位置をずらして配置され、蓋突起はその辺中央部側の端部において、蓋突起に対応した本体突起と重なると共に、蓋突起はそのコーナー部側の端部において、蓋突起に対応した本体突起に対してそのコーナー部側の隣に位置する本体突起と重なることが好ましい。この構成よれば、閉蓋作業の際に、蓋を容器本体により一層スムーズに被せることができる。そして、閉蓋状態においては、蓋突起列が本体突起列に対してコーナー部側に位置をずらして配置されて、蓋突起の水平方向の両端部が、それぞれ蓋突起に対応した本体突起とそのコーナー部側の隣の本体突起に重なるので、蓋の不用意な外れが効果的に防止される。また、蓋を開ける際には、容易に蓋を開けることができる。
【００１３】
また、本体突起は、コーナー部側に向けて上縁が下降していると共に上下方向の寸法が小さくなる形状であることが好ましい。この構成によれば、より一層閉蓋しやすくなると共に、閉蓋状態も維持される。
【００１４】
また、本体突起は、コーナー部側に向けて突出高さが低くなる形状であることが好ましい。この構成によれば、より一層閉蓋しやすい。
【発明の効果】
【００１５】
以上のように、本発明に係る包装用容器においては、閉蓋作業が行いやすく、また、閉蓋状態において、テープで蓋と容器本体とを固定しなくても、蓋が不用意に外れることを防止でき、しかも、消費者が蓋を容易に開けることができる。
【図面の簡単な説明】
【００１６】
【図１】本発明の一実施形態における包装用容器の開蓋状態を示す斜視図。
【図２】図１の要部拡大図。
【図３】同包装用容器の開蓋状態を長辺部側から見た部分拡大図。
【図４】同包装用容器の開蓋状態を示す長辺部における部分拡大断面図。
【図５】同包装用容器の容器本体の平面図。
【図６】図５の要部拡大図。
【図７】同容器本体を長辺部側から見た正面図。
【図８】同容器本体を短辺部側から見た側面図。
【図９】同容器本体の本体突起を正面から見た図。
【図１０】（ａ）は同本体突起を図９のＡ−Ａ側から見た図、（ｂ）は同本体突起を図９のＢ−Ｂ側から見た図。
【図１１】同包装用容器の蓋の平面図。
【図１２】同蓋を長辺部側から見た正面図。
【図１３】同蓋を短辺部側から見た側面図。
【図１４】同蓋の蓋突起を正面から見た図。
【図１５】（ａ）は図１４のＣ−Ｃ概略断面図、（ｂ）図１４のＤ−Ｄ側から見た図。
【図１６】同包装用容器の閉蓋状態を示す長辺部側から見た正面図。
【図１７】図１６の要部拡大図。
【図１８】同包装用容器の閉蓋状態を示す短辺部側から見た側面図。
【図１９】図１８の要部拡大図。
【図２０】同包装用容器の閉蓋状態を示す図４に対応した部分拡大断面図。
【図２１】同包装用容器の閉蓋状態を示す長辺部における断面斜視図。
【図２２】同包装用容器の閉蓋途中状態を示す長辺部側から見た正面図。
【図２３】同包装用容器の閉蓋途中状態を示す短辺部側から見た側面図。
【図２４】同包装用容器の長辺部における本体突起と蓋突起の関係を示す図であって、（ａ）は閉蓋途中状態を示し、（ｂ）は閉蓋状態を示す。
【図２５】同包装用容器の短辺部における本体突起と蓋突起の関係を示す図であって、（ａ）は閉蓋途中状態を示し、（ｂ）は閉蓋状態を示す。
【図２６】（ａ）乃至（ｃ）は、本発明の他の実施形態における包装用容器の本体突起を正面から見た図。
【図２７】本発明の他の実施形態における包装用容器の容器本体の要部拡大平面図。
【図２８】（ａ）及び（ｂ）は本発明の他の実施形態における包装用容器の本体突起と蓋突起の関係を示す図２４に対応した図。
【図２９】（ａ）及び（ｂ）は本発明の他の実施形態における包装用容器の本体突起と蓋突起の関係を示す図２４に対応した図。
【発明を実施するための形態】
【００１７】
以下、本発明の一実施形態に係る包装用容器について図１〜図２５を参酌しつつ説明する。本実施形態における容器は、種々の食品を収容するためのものである。容器の平面視における形状は略矩形であり、本実施形態では平面視略長方形である。各辺部が平面視において外側に膨らんでいても、膨らんでいなくてもよい。また、各コーナー部の隅切り形状の有無も任意である。容器は、容器本体１と蓋２とを備えている。容器本体１は上方に開口する開口部を有している。蓋２は、容器本体１に被せられて容器本体１の開口部を塞ぐ。
【００１８】
容器本体１と蓋２は、何れも合成樹脂製のシートから真空成形や圧空成形等の各種の熱成形（シート成形）によって形成されたものである。容器本体１や蓋２には、種々の合成樹脂製のシートが使用できる。合成樹脂製のシートは、例えばポリエチレンテレフタレートなどのポリエステル系樹脂、ポリスチレンなどのスチレン系樹脂、さらにはポリプロピレンなどのポリオレフィン系樹脂などから構成される。また、これらのシートを一軸もしくは二軸に延伸した延伸シートも好ましい。これらのシートの中でも、透明性に優れたシートを蓋２に使用した場合には、収容した食品を視認できるので好適である。
【００１９】
＜容器本体１＞
容器本体１は、平面視略矩形であり、本実施形態では平面視略長方形である。容器本体１は、底面部１０と、底面部１０の外縁から上側に向けて拡開しつつ延びる本体側面部１１と、本体側面部１１の上端から外側に向けて延びる本体フランジ部とを備えている。底面部１０は平面視略矩形である。底面部１０には種々の形状の図示しない脚部を設けてよい。本体側面部１１には、集荷時に容器本体１同士を多数積み重ねした際に、容器本体１同士が互いにきつく嵌り込んで取れなくなる、いわゆるブロッキング現象を防止するために、ブロッキング防止用の凸部や凹部（図示省略）を設けてよい。ブロッキング防止用の凸部や凹部は、容器本体１毎にその位置をずらして配置しておく。本体側面部１１には各種の補強用のリブを設けてもよい。本体側面部１１の上端が開口縁部となっている。開口部は平面視略矩形である。本体フランジ部は、開口部の外側に位置している。本体フランジ部は開口縁部の全周に亘って形成されている。
【００２０】
＜本体フランジ部＞
本体フランジ部は、本体側面部１１の上端から外側に向けて略水平に延びる本体フランジ上面部１３と、本体フランジ上面部１３の外縁から下側に向けて垂下する本体垂下部１４と、本体垂下部１４の下端から外側に向けて略水平に延びる本体縁取り部１５とを備えている。本体垂下部１４は、四つの辺部１４０，１４１と、四つのコーナー部１４２とを有している。本実施形態において、容器が平面視略長方形であるので、本体垂下部１４は、二つの長辺部１４０と二つの短辺部１４１とを有する。コーナー部１４２は、隣り合う長辺部１４０と短辺部１４１の間に位置する。コーナー部１４２は、本実施形態では図５及び図６のように平面視において斜めにカットされた隅切り形状であるが、図２７のように平面視において円弧状に湾曲した隅丸形状であってもよい。本体縁取り部１５には、開蓋作業を容易にするための各種形状の本体摘み部１５０を設けてよい。本実施形態では、本体垂下部１４の各コーナー部１４２の外側に略三角形の本体摘み部１５０が形成されているが、その配置や個数は任意である。
【００２１】
尚、本体縁取り部１５の上面及び下面には、細かな凹凸加工やエンボス加工を施して凹凸形状を形成してよい。本体縁取り部１５に凹凸を形成することにより、本体縁取り部１５が補強されるとともに、指などがあたっても、指などを切ることがないようにすることができる。この凹凸は、例えば正面から拡大して見たときに波形状とされ、多数の山と谷の方向が各辺において幅方向に短く形成され、角部において角部と中心部とを結ぶ方向（放射方向）に平行に形成される。また、この凹凸は、例えば、平目ローレット目や綾目ローレット目のようなローレット目によって形成され、さらには、滑りにくいようにするため、綾目ローレット目によって形成することが好ましい。
【００２２】
＜本体突起＞
本体垂下部１４には、閉蓋状態を維持するための本体突起が形成されている。本体突起は、外側に向けて、即ち、外面側に向けて突出している。本体突起は、本体垂下部１４の上部に形成されている。コーナー部１４２には、水平方向に延びた筋状の本体突起３０が形成されていてよい。コーナー部１４２の筋状の本体突起３０は、複数に分断されていてよい。本実施形態では、筋状の本体突起３０は、三つの部分に分断されており、中央の分割部分（符号３０）とその両側に位置する分割部分３２，３３とから構成されている。
【００２３】
長辺部１４０の辺中央部には、水平方向に延びた筋状の本体突起３１が形成されていてよい。尚、短辺部１４１の辺中央部には、筋状の本体突起は形成されていないが、短辺部１４１の辺中央部にも長辺部１４０の辺中央部と同様に筋状の本体突起を形成してもよい。
【００２４】
＜長辺部１４０の本体突起列３４０＞
長辺部１４０の両辺端部の近傍には、それぞれ島状の本体突起３４ａ，３４ｂ，３４ｃ，３４ｄが形成されている。島状の本体突起３４ａ，３４ｂ，３４ｃ，３４ｄを総称して単に島状の本体突起３４と称することがある。島状の本体突起３４ａ，３４ｂ，３４ｃ，３４ｄは、コーナー部１４２の近傍に位置している。島状の本体突起３４ａ，３４ｂ，３４ｃ，３４ｄは、コーナー部１４２の筋状の本体突起３０の近傍に位置していて、筋状の本体突起３０に対して間隔をあけて位置している。島状の本体突起３４ａ，３４ｂ，３４ｃ，３４ｄは、辺中央部の筋状の本体突起３１よりも水平方向の長さが短い。島状の本体突起３４ａ，３４ｂ，３４ｃ，３４ｄは、水平方向に一定間隔毎に複数形成されている。
【００２５】
島状の本体突起３４ａ，３４ｂ，３４ｃ，３４ｄの数は任意であるが、本実施形態では、両辺端部の近傍に、それぞれ島状の本体突起３４ａ，３４ｂ，３４ｃ，３４ｄが四つずつ形成されている。長辺部１４０を正面に見て、島状の本体突起３４ａ，３４ｂ，３４ｃ，３４ｄは左右対称に配置されている。四つの島状の本体突起３４ａ，３４ｂ，３４ｃ，３４ｄは水平方向に沿って一列に配列されており、四つの島状の本体突起３４ａ，３４ｂ，３４ｃ，３４ｄは、ひとまとまりとなって一群の本体突起列３４０を構成している。本体突起列３４０は、辺中央部の筋状の本体突起３１から離れて配置されている。
【００２６】
＜短辺部１４１の本体突起列３５０＞
短辺部１４１の両辺端部の近傍にも、同様に、それぞれ島状の本体突起３５ａ，３５ｂ，３５ｃが水平方向に一定間隔毎に複数形成されている。島状の本体突起３５ａ，３５ｂ，３５ｃを総称して単に島状の本体突起３５と称することがある。短辺部１４１における島状の本体突起３５と長辺部１４０における島状の本体突起３４は、互いに同じ形状であってもよいし異なる形状であってもよいが、本実施形態においては互いに同じ形状である。本実施形態において、短辺部１４１の両辺端部の近傍には、それぞれ島状の本体突起３５ａ，３５ｂ，３５ｃが三つずつ形成されており、短辺部１４１の方が長辺部１４０よりも個数は少ない。但し、例えば、長辺部１４０と短辺部１４１において互いに同数であってもよい。短辺部１４１を正面に見て、左右対称に島状の本体突起３５ａ，３５ｂ，３５ｃが配置されている。短辺部１４１の辺端部の近傍において、三つの島状の本体突起３５ａ，３５ｂ，３５ｃは水平方向に沿って一列に配列されており、三つの島状の本体突起３５ａ，３５ｂ，３５ｃは、ひとまとまりとなって一群の本体突起列３５０を構成している。本体突起列３５０は、コーナー部１４２の筋状の本体突起３０の隣に間隔をあけて配置されている。
【００２７】
島状の本体突起３４，３５の形状は種々であってよい。島状の本体突起３４，３５は、コーナー部１４２側に向けて上下方向の寸法が小さくなる形状であることが好ましい。島状の本体突起３４，３５の上縁は、コーナー部１４２側に向けて下降していることが好ましい。島状の本体突起３４，３５の下縁は、略水平であることが好ましい。島状の本体突起３４，３５は、コーナー部１４２側に向けて突出高さが低くなる形状であることが好ましい。突出高さが低くなるとは、島状の本体突起３４，３５の突出量が減少することである。本実施形態では、長辺部１４０における島状の本体突起３４の形状と短辺部１４１における島状の本体突起３５の形状を互いに同じものとしているが、互いに異なるものとしてもよい。尚、島状の本体突起３４，３５の下縁をコーナー部１４２側に向けて上側に傾斜させた場合には、後述する島状の蓋突起４４，４５の上縁は、島状の本体突起３４，３５の上縁の形状に合わせて傾斜させることが好ましい。
【００２８】
図９に島状の本体突起３４の一例を拡大図で示している。図９において紙面の表裏方向が島状の本体突起３４の突出方向である。図９において、コーナー部１４２側を矢印Ｐで示し、コーナー部１４２側とは反対側である辺中央部側（反コーナー部側）を矢印Ｑで示している。図示の島状の本体突起３４は、長辺部１４０を正面に見て向かって左側の辺端部近傍に形成されているものであり、短辺部１４１を正面に見て向かって左側の辺端部近傍に形成されているものもこれと同じ形状である。長辺部１４０を正面に見て向かって右側の辺端部近傍に形成されているものは、図９のものを左右反転した形状であり、短辺部１４１を正面に見て向かって右側の辺端部近傍に形成されているものも同様に図９のものを左右反転した形状である。また、図１０には、島状の本体突起３４の突出形状を向かって右側（矢印Ａ−Ａ）からと下側（矢印Ｂ−Ｂ）からの二方向から見た図を示している。
【００２９】
島状の本体突起３４は、図９のように正面から見て、下側を底辺とする略三角形である。島状の本体突起３４は、頂上面３４１と、頂上面３４１の周囲に位置する複数の傾斜面とを備えている。頂上面３４１は、突出高さが一定の略平坦な面であってもよいが、本実施形態では、図１０（ｂ）のように、コーナー部１４２側に向けて小さな傾斜角度で突出高さが低くなった傾斜面となっている。頂上面３４１は、全体として、下側を底辺とする略三角形であって、頂上面３４１の上下方向の寸法は、コーナー部１４２側に向けて徐々に小さくなっている。
【００３０】
傾斜面は、下部傾斜面３４２、側部傾斜面３４３、第一上部傾斜面３４４、及び、第二上部傾斜面３４４ｂから構成される。下部傾斜面３４２、側部傾斜面３４３、第一上部傾斜面３４４ａ、及び、第二上部傾斜面３４４ｂは、それぞれ頂上面３４１に向けて徐々に突出高さが高くなっている。下部傾斜面３４２は、島状の本体突起３４の下縁３４６を有している。島状の本体突起３４の下縁３４６は、略水平方向に沿って延びている。下部傾斜面３４２は、下側に向けて徐々に突出高さが低くなっている。側部傾斜面３４３は、島状の本体突起３４のうち辺中央部側の端部近傍の部分を構成している。側部傾斜面３４３は、島状の本体突起３４の辺中央部側の側縁３４７を有している。島状の本体突起３４の辺中央部側の側縁３４７は、略上下方向に沿って延びている。側部傾斜面３４３は、辺中央部側に向けて徐々に突出高さが低くなっている。
【００３１】
第一上部傾斜面３４４ａと第二上部傾斜面３４４ｂは、島状の本体突起３４の上縁３４８ａ，３４８ｂを有している。島状の本体突起３４の上縁３４８ａ，３４８ｂは、コーナー部１４２側に向けて徐々に下降している。第一上部傾斜面３４４ａは、島状の本体突起３４の第一上縁３４８ａを有し、第二上部傾斜面３４４ｂは、島状の本体突起３４の第二上縁３４８ｂを有している。第一上縁３４８ａは、コーナー部１４２側に向けて相対的に小さな勾配で下降し、第二上縁３４８ｂは、コーナー部１４２側に向けて第一上縁３４８ａよりも大きな勾配で下降している。第一上縁３４８ａは下側に向けて湾曲しているが上側に向けて湾曲していてもよいし直線であってもよい。第二上縁３４８ｂは直線であるが湾曲していてもよい。第一上部傾斜面３４４ａ及び第二上部傾斜面３４４ｂは、上側に向けて徐々に突出高さが低くなっていると共にコーナー部１４２側に向けて徐々に突出高さが低くなっている。即ち、第一上部傾斜面３４４ａ及び第二上部傾斜面３４４ｂは、コーナー部１４２側の斜め上側に向けて徐々に突出高さが低くなっている。このように本実施形態における島状の本体突起３４は、頂上面３４１と第一上部傾斜面３４４ａと第二上部傾斜面３４４ｂによって、コーナー部１４２側に向けて突出高さが低くなる形状となっている。
【００３２】
島状の本体突起３４の他の例を図２６に示す。図２６（ａ）のように、第一上縁３４８ａがＬ字状に形成されていてもよい。図２６（ｂ）及び図２６（ｃ）のように、上部傾斜面３４４を一つのみ備えた構成であってもよい。図２６（ｂ）のように、上縁３４８が上側に湾曲していてもよいし、図２６（ｃ）のように上縁３４８が直線であってもよい。
【００３３】
＜蓋２＞
蓋２は、容器本体１に対応した形状であって平面視略矩形であり、本実施形態では平面視略長方形である。蓋２は、透明であることが好ましく、容器に収容した食品を蓋２を介して外部から視認できる。蓋２は、天面部２０と、天面部２０の外縁から下側に向けて延設された蓋側面部２１と、蓋側面部２１の下端から外側に向けて延設された蓋フランジ部とを備えている。天面部２０の中央主要部は、凹凸のない略平坦に形成されていてよい。天面部２０の周縁部には、閉蓋状態の容器同士を積み重ねして陳列した際に容器同士の水平方向の位置ずれを防止することができるように、ズレ防止用の突起を設けてよい。
【００３４】
蓋側面部２１には、集荷時に蓋２同士を多数積み重ねした際に、蓋２同士が互いにきつく嵌り込んで取れなくなる、いわゆるブロッキング現象を防止するために、ブロッキング防止用の凸部や凹部（図示省略）を設けてよい。ブロッキング防止用の凸部や凹部は、蓋２毎にその位置をずらして配置しておく。蓋側面部２１には各種の補強用のリブを設けてもよい。蓋フランジ部は全周に亘って形成されている。
【００３５】
＜蓋フランジ部＞
蓋フランジ部は、蓋側面部２１の下端から外側に向けて略水平に延びる蓋フランジ上面部２３と、蓋フランジ上面部２３の外縁から下側に向けて垂下する蓋垂下部２４と、蓋垂下部２４の下端から外側に向けて略水平に延びる蓋縁取り部２５とを備えている。蓋垂下部２４は、四つの辺部２４０，２４１と、四つのコーナー部２４２とを有している。本実施形態において、容器が平面視略長方形であるので、蓋垂下部２４は、二つの長辺部２４０と二つの短辺部２４１とを有する。コーナー部２４２は、隣り合う長辺部２４０と短辺部２４１の間に位置する。コーナー部２４２は、本実施形態では図１１のように平面視において斜めにカットされた隅切り形状であるが、平面視において円弧状に湾曲していてもよい。
【００３６】
蓋縁取り部２５には、開蓋作業を容易にするための各種形状の蓋摘み部２５０を設けてよい。蓋摘み部２５０は、本体摘み部１５０に対応した位置に設けられていてよい。本実施形態では、蓋垂下部２４の各コーナー部２４２の外側に略三角形の蓋摘み部２５０が形成されているが、その配置や個数は任意である。尚、蓋縁取り部２５の上面及び下面には、細かな凹凸加工やエンボス加工を施して凹凸形状を形成してよい。蓋縁取り部２５に凹凸を形成することにより、蓋縁取り部２５が補強されるとともに、指などがあたっても、指などを切ることがないようにすることができる。この凹凸は、例えば正面から拡大して見たときに波形状とされ、多数の山と谷の方向が各辺において幅方向に短く形成され、角部において角部と中心部とを結ぶ方向（放射方向）に平行に形成される。また、この凹凸は、例えば、平目ローレット目や綾目ローレット目のようなローレット目によって形成され、さらには、滑りにくいようにするため、綾目ローレット目によって形成することが好ましい。
【００３７】
＜蓋突起＞
蓋垂下部２４には、本体突起との協同によって閉蓋状態を維持するための蓋突起が形成されている。蓋突起は、内側に向けて、即ち、内面側に向けて突出している。蓋突起は、蓋垂下部２４の下部に形成されている。蓋突起は、本体突起に対応した位置に形成されている。コーナー部２４２には、水平方向に延びた筋状の蓋突起４０が形成されていてよい。コーナー部２４２の筋状の蓋突起４０は、複数に分断されていてよい。本実施形態では、筋状の蓋突起４０は、三つの部分に分断されており、中央の分割部分（符号４０）とその両側に位置する分割部分４２，４３とから構成されている。
【００３８】
長辺部２４０の辺中央部には、水平方向に延びた筋状の蓋突起４１が形成されている。長辺部２４０の辺中央部の筋状の蓋突起４１における水平方向の長さは、それに対応した筋状の本体突起３１における水平方向の長さと略等しい。尚、短辺部２４１の辺中央部には筋状の蓋突起は形成されていないが、短辺部２４１にも長辺部２４０と同様に筋状の蓋突起を形成してもよい。
【００３９】
＜長辺部２４０の蓋突起列４４０＞
長辺部２４０の両辺端部の近傍には、それぞれ島状の蓋突起４４ａ，４４ｂ，４４ｃ，４４ｄが形成されている。島状の蓋突起４４ａ，４４ｂ，４４ｃ，４４ｄを総称して単に島状の蓋突起４４と称することがある。島状の蓋突起４４ａ，４４ｂ，４４ｃ，４４ｄは、コーナー部２４２の近傍に位置している。島状の蓋突起４４ａ，４４ｂ，４４ｃ，４４ｄは、コーナー部２４２の筋状の蓋突起４０の近傍に位置していて、筋状の蓋突起４０に対して間隔をあけて位置している。島状の蓋突起４４ａ，４４ｂ，４４ｃ，４４ｄは、辺中央部の筋状の蓋突起４１よりも水平方向の長さが短い。島状の蓋突起４４ａ，４４ｂ，４４ｃ，４４ｄは、水平方向に一定間隔毎に複数形成されている。
【００４０】
島状の蓋突起４４ａ，４４ｂ，４４ｃ，４４ｄの数は任意であるが、本実施形態では、両辺端部の近傍に、それぞれ島状の蓋突起４４ａ，４４ｂ，４４ｃ，４４ｄが四つずつ形成されている。長辺部２４０を正面に見て、島状の蓋突起４４ａ，４４ｂ，４４ｃ，４４ｄは左右対称に形成され、配置されている。四つの島状の蓋突起４４ａ，４４ｂ，４４ｃ，４４ｄは水平方向に沿って一列に配列されており、四つの島状の蓋突起４４ａ，４４ｂ，４４ｃ，４４ｄは、ひとまとまりとなって一群の蓋突起列４４０を構成している。蓋突起列４４０は、辺中央部の筋状の蓋突起４１から離れて配置されている。
【００４１】
＜短辺部２４１の蓋突起列４５０＞
短辺部２４１の両辺端部の近傍にも、同様に、それぞれ島状の蓋突起４５ａ，４５ｂ，４５ｃが水平方向に一定間隔毎に複数形成されている。短辺部２４１における島状の蓋突起４５と長辺部２４０における島状の蓋突起４４は、互いに同じ形状であってもよいし異なる形状であってもよいが、本実施形態においては互いに同じ形状である。本実施形態において、短辺部２４１の両辺端部の近傍には、それぞれ島状の蓋突起４５ａ，４５ｂ，４５ｃが三つずつ形成されており、短辺部２４１の方が長辺部２４０よりも個数は少ない。但し、例えば、長辺部２４０と短辺部２４１において互いに同数であってもよい。短辺部２４１を正面に見て、左右対称に島状の蓋突起４５ａ，４５ｂ，４５ｃが形成され、配置されている。短辺部２４１の辺端部の近傍において、三つの島状の蓋突起４５ａ，４５ｂ，４５ｃは水平方向に沿って一列に配列されており、三つの島状の蓋突起４５ａ，４５ｂ，４５ｃは、ひとまとまりとなって一群の蓋突起列４５０を構成している。蓋突起列４５０は、コーナー部２４２の筋状の蓋突起４０の隣に間隔をあけて配置されている。
【００４２】
島状の蓋突起４４，４５の形状は種々であってよい。本実施形態では、長辺部２４０における島状の蓋突起４４の形状と短辺部２４１における島状の蓋突起４５の形状を互いに同じものとしているが、互いに異なるものとしてもよい。図１４に島状の蓋突起４４の一例を拡大図で示している。図１４において紙面の表裏方向が島状の蓋突起４４の突出方向である。
【００４３】
島状の蓋突起４４は、図１４のように正面から見て、略矩形であって詳細には水平方向を長辺方向とする略長方形である。島状の蓋突起４４は、頂上面４４１と、頂上面４４１の周囲に位置する複数の傾斜面とを備えている。頂上面４４１は、突出高さが一定の略平坦な面であってもよいし、傾斜面であってもよいが、本実施形態では、図１５（ｂ）のように、突出高さが一定の略平坦な面となっている。頂上面４４１は、水平方向を長辺方向とする略長方形である。傾斜面は、下部傾斜面４４２、左右一対の側部傾斜面４４３、及び、上部傾斜面４４４から構成される。下部傾斜面４４２、左右一対の側部傾斜面４４３、及び、上部傾斜面４４４は、それぞれ頂上面４４１に向けて徐々に突出高さが高くなっており、換言すれば、頂上面４４１から離れるほど突出高さが低くなっている。
【００４４】
＜閉蓋作業及び閉蓋途中状態＞
図２２及び図２３に、閉蓋途中の状態を示している。まず、容器本体１の四つのコーナー部１４２のうちの三つのコーナー部１４２に、蓋２の対応するコーナー部２４２を被せる。そして、残る一つの容器本体１のコーナー部１４２には、蓋２の対応するコーナー部２４２を被せずに上側に浮かせた状態とする。この容器本体１に被せられていない蓋２のコーナー部２４２を最終のコーナー部２４２と称することにすると、蓋２は、最終のコーナー部２４２を頂点として傾いた状態となる。蓋２の長辺部２４０は最終のコーナー部２４２を上側として傾斜し、蓋２の短辺部２４１も最終のコーナー部２４２を上側として傾斜した状態となる。その後、蓋２を上側から押す等して、蓋２の最終のコーナー部２４２を容器本体１の残る一つのコーナー部１４２に被せる。その際、蓋２は最終のコーナー部２４２の外側に向けて水平方向に若干引っ張られながら下側に移動していく。
【００４５】
＜閉蓋状態＞
図１６〜図２１に閉蓋状態を示している。図２０及び図２１のように、閉蓋状態において、本体フランジ上面部１３の上側に蓋フランジ上面部２３が重なる。尚、蓋フランジ上面部２３は本体フランジ上面部１３の上面に当接してもよいし若干の隙間をあけて上側に対峙してもよい。本体垂下部１４の外側に蓋垂下部２４が重なる。本体縁取り部１５の上側に蓋縁取り部２５が重なる。そして、本体突起の下側に蓋突起が位置する。
【００４６】
詳細には、容器本体１のコーナー部１４２における筋状の本体突起３０の下側に、蓋２のコーナー部２４２における筋状の蓋突起４０が位置して、互いに上下方向に重なり合う。容器本体１の長辺部１４０の辺中央部における筋状の本体突起３１の下側に、蓋２の長辺部２４０の辺中央部における筋状の蓋突起４１が位置する。尚、容器本体１のコーナー部１４２における筋状の本体突起３０と蓋２のコーナー部２４２における筋状の蓋突起４０は、水平方向の全長に亘って上下方向に重なり合うことが好ましい。また、容器本体１の長辺部１４０の辺中央部における筋状の本体突起３１と蓋２の長辺部２４０の辺中央部における筋状の蓋突起４１は、水平方向の全長に亘って上下方向に重なり合うことが好ましい。そして、容器本体１の本体突起列３４０，３５０の下側に、蓋２の蓋突起列４４０，４５０が水平方向に位置をずらして配置される。
【００４７】
長辺部１４０，２４０における本体突起列３４０と蓋突起列４４０の関係を図２４に示し、短辺部１４１，２４１における本体突起列３５０と蓋突起列４５０の関係を図２５に示している。図２４（ａ）及び図２５（ａ）は、閉蓋途中状態における本体突起列３４０，３５０と蓋突起列４４０，４５０の関係を示しており、図２４（ｂ）及び図２５（ｂ）は閉蓋状態における本体突起列３４０，３５０と蓋突起列４４０，４５０の関係を示している。図２４及び図２５においてコーナー部１４２，２４２側を矢印Ｐで示している。
【００４８】
閉蓋状態において、本体突起列３４０，３５０の各島状の本体突起３４，３５と蓋突起列４４０，４５０の各島状の蓋突起４４，４５は、それぞれ互いに水平方向の一部分のみが上下方向に重なり合い、水平方向の全長が上下方向に重なり合うということがない。本体突起列３４０，３５０に対して蓋突起列４４０，４５０はコーナー部１４２，２４２側に位置をずらして配置され、各島状の本体突起３４，３５に対して各島状の蓋突起４４，４５はコーナー部１４２，２４２側に位置をずらして配置される。
【００４９】
長辺部１４０における本体突起列３４０の各本体突起３４ａ，３４ｂ，３４ｃ，３４ｄをコーナー部１４２側から順に、長辺部１４０の第一の本体突起３４ａ、長辺部１４０の第二の本体突起３４ｂ、長辺部１４０の第三の本体突起３４ｃ、長辺部１４０の第四の本体突起３４ｄと称し、長辺部２４０における蓋突起列４４０の各蓋突起４４ａ，４４ｂ，４４ｃ，４４ｄをコーナー部２４２側から順に、長辺部２４０の第一の蓋突起４４ａ、長辺部２４０の第二の蓋突起４４ｂ、長辺部２４０の第三の蓋突起４４ｃ、長辺部２４０の第四の蓋突起４４ｄと称する。長辺部１４０の第一乃至第四の本体突起３４ａ，３４ｂ，３４ｃ，３４ｄがそれぞれ長辺部２４０の第一乃至第四の蓋突起４４ａ，４４ｂ，４４ｃ，４４ｄと対応する。閉蓋状態において、長辺部２４０の第一乃至第四の蓋突起４４ａ，４４ｂ，４４ｃ，４４ｄは、長辺部１４０の第一乃至第四の本体突起３４ａ，３４ｂ，３４ｃ，３４ｄに対して、それぞれコーナー部１４２，２４２側に位置をずらして配置される。
【００５０】
長辺部２４０の第一の蓋突起４４ａの辺中央部側の部分は、長辺部１４０の第一の本体突起３４ａのコーナー部１４２側の部分と上下方向に重なり合う。長辺部２４０の第一の蓋突起４４ａのコーナー部２４２側の部分は、長辺部１４０の第一の本体突起３４ａとは上下方向に重なり合わない。同様に、長辺部２４０の第二乃至第四の蓋突起４４ｂ，４４ｃ，４４ｄの辺中央部側の部分は、それぞれ長辺部１４０の第二乃至第四の本体突起３４ｂ，３４ｃ，３４ｄのコーナー部１４２側の部分と上下方向に重なり合うが、長辺部２４０の第二乃至第四の蓋突起４４ｂ，４４ｃ，４４ｄのコーナー部２４２側の部分は、それぞれ長辺部１４０の第二乃至第四の本体突起３４ｂ，３４ｃ，３４ｄとは上下方向に重なり合わない。長辺部２４０の第二乃至第四の蓋突起４４ｂ，４４ｃ，４４ｄのコーナー部２４２側の端部は、それぞれ第一乃至第三の本体突起３４ａ，３４ｂ，３４ｃの辺中央部側の端部と上下方向に重なり合う。例えば、図２４（ｂ）のように、長辺部２４０の第二の蓋突起４４ｂが長辺部１４０の第二の本体突起３４ｂと上下方向に重なり合う水平方向の寸法Ｗ２は、長辺部２４０の第二の蓋突起４４ｂが長辺部１４０の第一の本体突起３４ａと上下方向に重なり合う水平方向の寸法Ｗ１よりも大きてよい。即ち、Ｗ２＞Ｗ１であってよい。但し、Ｗ２＝Ｗ１であってもよいし、Ｗ２＜Ｗ１であってもよい。長辺部２４０の第三及び第四の蓋突起４４ｃ，４４ｄについても同様である。
【００５１】
短辺部１４１，２４１についても同様である。短辺部１４１における本体突起列３５０の各本体突起３５ａ，３５ｂ，３５ｃをコーナー部１４２側から順に、短辺部１４１の第一の本体突起３５ａ、短辺部１４１の第二の本体突起３５ｂ、短辺部２４１の第三の本体突起３５ｃと称し、短辺部２４１における蓋突起列４５０の各蓋突起４５ａ，４５ｂ，４５ｃをコーナー部２４２側から順に、短辺部２４１の第一の蓋突起４５ａ、短辺部２４１の第二の蓋突起４５ｂ、短辺部２４１の第三の蓋突起４５ｃと称する。短辺部１４１の第一乃至第三の本体突起３５ａ，３５ｂ，３５ｃがそれぞれ短辺部２４１の第一乃至第三の蓋突起４５ａ，４５ｂ，４５ｃと対応する。閉蓋状態において、短辺部２４１の第一乃至第三の蓋突起４５ａ，４５ｂ，４５ｃは、短辺部１４１の第一乃至第三の本体突起３５ａ，３５ｂ，３５ｃに対して、それぞれコーナー部１４２，２４２側に位置をずらして配置される。
【００５２】
短辺部２４１の第一の蓋突起４５ａの辺中央部側の部分は、短辺部１４１の第一の本体突起３５ａのコーナー部１４２側の部分と上下方向に重なり合う。短辺部２４１の第一の蓋突起４５ａのコーナー部２４２側の部分は、短辺部１４１の第一の本体突起３５ａとは上下方向に重なり合わない。同様に、短辺部２４１の第二及び第三の蓋突起４５ｂ，４５ｃの辺中央部側の部分は、それぞれ短辺部１４１の第二及び第三の本体突起３５ｂ，３５ｃのコーナー部１４２側の部分と上下方向に重なり合うが、短辺部２４１の第二及び第三の蓋突起４５ｂ，４５ｃのコーナー部２４２側の部分は、それぞれ短辺部１４１の第二及び第三の本体突起３５ｂ，３５ｃとは上下方向に重なり合わない。短辺部２４１の第二及び第三の蓋突起４５ｂ，４５ｃのコーナー部２４２側の端部は、それぞれ第一及び第二の本体突起３５ａ，３５ｂの辺中央部側の端部と上下方向に重なり合う。例えば、図２５（ｂ）のように、短辺部２４１の第二の蓋突起４５ｂが短辺部１４１の第二の本体突起３５ｂが上下方向に重なり合う水平方向の寸法Ｗ４は、短辺部２４１の第二の蓋突起４５ｂが短辺部１４１の第一の本体突起３５ａと上下方向に重なり合う水平方向の寸法Ｗ３よりも大きてよい。即ち、Ｗ４＞Ｗ３であってよい。但し、Ｗ４＝Ｗ３であってもよいし、Ｗ４＜Ｗ３であってもよい。短辺部２４１の第三の蓋突起４５ｃについても同様である。
【００５３】
以上のように、本実施形態における容器にあっては、島状の蓋突起４４，４５と島状の本体突起３４，３５が部分的に上下方向に重なり合う構成であるため、閉蓋作業時において蓋２を容器本体１に被せる際の力が小さくて済む。したがって、閉蓋作業を楽に行うことができる。そして、閉蓋状態においては、島状の蓋突起４４，４５が島状の本体突起３４，３５の下側に位置して部分的に上下方向に重なり合っているので、蓋２が容器本体１から外れようとした際には島状の蓋突起４４，４５が島状の本体突起３４，３５に引っ掛かる。そのため、蓋２が不用意に外れることが防止される。蓋２と容器本体１を別途テープで固定しなくても閉蓋状態が維持されるので、テープ貼り作業を省略することが可能となる。また、島状の蓋突起４４，４５と島状の本体突起３４，３５が水平方向の全長に亘って上下方向に重なっているのではなく部分的に重なっているだけであるので、蓋２を開ける際には、容易に蓋２を開けることができる。特に、閉蓋状態において島状の蓋突起４４，４５が島状の本体突起３４，３５に対してコーナー部１４２，２４２側に位置をずらして配置される構成であるため、閉蓋作業がより一層容易になる。また、島状の蓋突起４４，４５と島状の本体突起３４，３５が複数形成されてそれぞれ蓋突起列４４０，４５０と本体突起列３４０，３５０が形成されているので、閉蓋作業が楽に行えるうえに閉蓋状態の島状の蓋突起４４，４５と島状の本体突起３４，３５との係合状態がより一層確実なものとなって閉蓋状態がより一層維持される。尚、島状の蓋突起４４，４５は一つであってもよく、島状の本体突起３４，３５も一つであってもよい。
【００５４】
更に、島状の本体突起３４，３５が、コーナー部１４２側に向けて上縁３４８が下降していると共に上下方向の寸法が小さくなる形状であると、閉蓋作業がより一層スムーズなものとなる。また、島状の本体突起３４，３５が、コーナー部１４２側に向けて突出高さが低くなる形状であると、閉蓋作業がより一層スムーズなものとなる。
【００５５】
尚、本実施形態では、島状の蓋突起４４，４５がそれを正面から見た際において略矩形であったが、図２８のように、島状の蓋突起４４，４５がそれを正面から見た際においてトラック形状ないしは長円形状であってもよい。また、図２９のように、島状の本体突起３４，３５がそれを正面から見た際において略矩形であって、島状の蓋突起４４，４５がそれを正面から見た際において略三角形であってもよい。
【００５６】
尚、上記実施形態では、容器本体１と蓋２とが別体の構成であったが、いわゆるフードパックと称されるような容器本体１と蓋２とがヒンジ部を介して接続された一体構成であってもよい。
【符号の説明】
【００５７】
１    容器本体
１０    底面部
１１    本体側面部
１３    本体フランジ上面部
１４    本体垂下部
１４０  長辺部
１４１  短辺部
１４２  コーナー部
１５    本体縁取り部
１５０  本体摘み部
３０    コーナー部の筋状の本体突起
３１    長辺部の辺中央部の筋状の本体突起
３４    長辺部の島状の本体突起
３４ａ  長辺部の島状の第一の本体突起
３４ｂ  長辺部の島状の第二の本体突起
３４ｃ  長辺部の島状の第三の本体突起
３４ｄ  長辺部の島状の第四の本体突起
３４０  長辺部の本体突起列
３４１  頂上面
３４２  下部傾斜面
３４３  側部傾斜面
３４４  上部傾斜面
３４４ａ  第一上部傾斜面
３４４ｂ  第二上部傾斜面
３４６  下縁
３４７  側縁
３４８  上縁
３４８ａ  第一上縁
３４８ｂ  第二上縁
３５    短辺部の島状の本体突起
３５ａ  短辺部の島状の第一の本体突起
３５ｂ  短辺部の島状の第二の本体突起
３５ｃ  短辺部の島状の第三の本体突起
３５０  短辺部の本体突起列
２    蓋
２０    天面部
２１    蓋側面部
２３    蓋フランジ上面部
２４    蓋垂下部
２４０  長辺部
２４１  短辺部
２４２  コーナー部
２５    蓋縁取り部
２５０  蓋摘み部
４０    コーナー部の筋状の蓋突起
４１    長辺部の辺中央部の筋状の蓋突起
４４    長辺部の島状の蓋突起
４４ａ  長辺部の島状の第一の蓋突起
４４ｂ  長辺部の島状の第二の蓋突起
４４ｃ  長辺部の島状の第三の蓋突起
４４ｄ  長辺部の島状の第四の蓋突起
４４０  長辺部の蓋突起列
４４１  頂上面
４４２  下部傾斜面
４４３  側部傾斜面
４４４  上部傾斜面
４５    短辺部の島状の蓋突起
４５ａ  短辺部の島状の第一の蓋突起
４５ｂ  短辺部の島状の第二の蓋突起
４５ｃ  短辺部の島状の第三の蓋突起
４５０  短辺部の蓋突起列
【要約】
【課題】不用意に蓋が外れることを防止できると共に、閉蓋作業が行いやすく、消費者が蓋を容易に開けることができる包装用容器を提供する。
【解決手段】略矩形の容器本体１は、開口部の外側に本体垂下部１４を有し、蓋２は、閉蓋状態で本体垂下部１４の外側に重なる蓋垂下部２４を有し、本体垂下部１４のコーナー部１４２の近傍には、外側に向けて突出し、閉蓋状態を維持するための本体突起３４，３５が形成され、蓋垂下部２４のコーナー部２４２の近傍には、内側に向けて突出し、閉蓋状態を維持するための蓋突起４４，４５が形成されており、閉蓋状態で、蓋突起４４，４５は、本体突起３４，３５よりも下側に位置すると共に、本体突起３４，３５と蓋突起４４，４５は、互いに水平方向に位置をずらして配置させることにより、水平方向の全長ではなくその一部のみが互いに上下方向に重なる位置関係となる。
【選択図】図１【図１】
0006803952.tif 000002
【図２】
0006803952.tif 000003
【図３】
0006803952.tif 000004
【図４】
0006803952.tif 000005
【図５】
0006803952.tif 000006
【図６】
0006803952.tif 000007
【図７】
0006803952.tif 000008
【図８】
0006803952.tif 000009
【図９】
0006803952.tif 000010
【図１０】
0006803952.tif 000011
【図１１】
0006803952.tif 000012
【図１２】
0006803952.tif 000013
【図１３】
0006803952.tif 000014
【図１４】
0006803952.tif 000015
【図１５】
0006803952.tif 000016
【図１６】
0006803952.tif 000017
【図１７】
0006803952.tif 000018
【図１８】
0006803952.tif 000019
【図１９】
0006803952.tif 000020
【図２０】
0006803952.tif 000021
【図２１】
0006803952.tif 000022
【図２２】
0006803952.tif 000023
【図２３】
0006803952.tif 000024
【図２４】
0006803952.tif 000025
【図２５】
0006803952.tif 000026
【図２６】
0006803952.tif 000027
【図２７】
0006803952.tif 000028
【図２８】
0006803952.tif 000029
【図２９】
0006803952.tif 000030